【手続補正書】
【提出日】平成20年11月27日(2008.11.27)
【手続補正１】
【補正対象書類名】特許請求の範囲
【補正対象項目名】全文
【補正方法】変更
【補正の内容】
【特許請求の範囲】
【請求項１】
火器用照準器を有する装置であって、
前記照準器を火器上で支持するように構成された構造と、
前記照準器の外部から発生する放射を検出可能な検出部と、
前記検出部に連結され、当該検出部によって検出された放射における選択された色の存在に応答して選択された動作を行う制御部と
を含む装置。
【請求項２】
請求項１記載の装置において、前記選択された色は蛍光性のオレンジ色である。
【請求項３】
請求項１記載の装置において、前記照準器は、前記制御部に連結され、火器の照準に関する情報を表示するディスプレイを含み、前記選択された動作は、前記火器の照準に関する情報を前記ディスプレイ上に表示することを防止する工程を含むものである。
【請求項４】
請求項１記載の装置において、前記火器用照準器は前記制御部に連結された警告表示を含み、前記選択された動作は前記警告表示の起動を含むものである。
【請求項５】
請求項４記載の装置において、前記照準器は火器の照準に関連する視野を有し、
前記警告表示は前記視野内に配置された視認可能な表示である。
【請求項６】
請求項４記載の装置において、前記照準器は、
前記制御部に連結され、前記照準器の外部から発生する放射に反応して前記検出部として機能する画像検出器と、
前記制御部に連結され、前記画像検出器によって検出された画像を含む、火器の照準に関する情報を表示するディスプレイとを含み、
前記警告表示は前記制御部によって前記ディスプレイ上に表示される情報形式の視認可能な表示である。
【請求項７】
照準器の外部から発生する放射を検出可能な検出部を有する、火器に装着自在な照準器を動作させる方法であって、
前記検出部によって検出された放射における選択された色の存在に応答して選択された動作を行う工程を有する方法。
【請求項８】
請求項７に記載の方法において、この方法は前記選択された色として蛍光性のオレンジ色を選択する工程を含むものである。
【請求項９】
請求項７に記載の方法において、この方法は、
前記照準器が火器の照準に関する情報を表示するディスプレイを有するように設定する工程を含み、
前記選択された動作を行う工程は、前記火器の照準に関する情報を前記ディスプレイ上に表示することを防止する工程を含むものである。
【請求項１０】
請求項７記載の方法において、この方法は、
前記火器用照準器が警告表示を有するように設定する工程を含み、
前記選択された動作を行う工程は、前記警告表示を起動する工程を含むものである。
【請求項１１】
請求項１０記載の方法において、
前記照準器は火器の照準に関する視野を有し、
前記警告表示が前記視野内における視認可能な表示であるように前記照準器を設定する工程を含むものである。
【請求項１２】
請求項１０記載の方法において、この方法は、
前記照準器が、当該照準器の外部から発生する放射に反応して前記検出部として機能する画像検出器を有するように設定する工程と、
前記照準器が、前記画像検出器によって検出された画像を含む、火器の照準に関する情報を表示するディスプレイを有するように設定する工程と、
前記警告表示が視認可能な表示であるように設定する工程と、
前記ディスプレイ上に情報を表示する工程を含むように前記警告表示を起動する工程を実行する工程と
を含むものある。
【請求項１３】
火器用照準器を有する装置であって、
前記照準器を火器上に支持する手段と、
前記照準器の外部から発生する放射を検出する検出手段と、
前記検出部によって検出された放射における選択された色の存在に応答して選択された動作を行う制御手段と
を含む装置。
【請求項１４】
請求項１３記載の装置において、前記選択された色は蛍光性のオレンジ色である。
【請求項１５】
請求項１３記載の装置において、
前記照準器は前記制御手段に連結され、火器の照準に関する情報を表示する表示手段を含み、
前記制御手段は、前記火器の照準に関する情報を前記表示手段上に表示することを防止する工程を含むように前記選択された動作を行う工程を実行するものである。
【請求項１６】
請求項１３記載の装置において、
前記火器用照準器は、前記制御部に連結され、選択的に警告を表示する警告手段を含み、
前記制御手段は、前記警告手段の起動を含むように前記選択された動作を行う工程を実行するものである。
【請求項１７】
請求項１６記載の装置において、
前記照準器は、火器の照準に関連する視野を有し、
前記警告手段は、前記視野内に配置された視認可能な表示を含むものである。
【請求項１８】
請求項１６記載の装置において、前記照準器は、
前記制御手段に連結され、前記照準器の外部から発生する放射に反応して前記検出部として機能する画像検出手段と、
前記制御手段に連結され、前記画像検出手段によって検出された画像を含む、火器の照準に関する情報を表示する表示手段と、
前記制御手段によって前記ディスプレイ上に表示された情報形式を備える視認可能な表示を含む前記警告手段と
を含むものである。
【請求項１９】
火器用照準器を有する装置であって、
前記照準器を火器上で支持するように構成された構造と、
前記照準器の外部における周囲照度を検出可能な検出部と、
前記検出部に連結され、且つ前記照準器の外部における周囲照度が選択された照度より低い場合、当該検出部に応答して選択された動作を行う制御部と
を含む装置。
【請求項２０】
請求項１９記載の装置において、前記選択された照度は火器を安全に操作するために必要な照度に相当するものである。
【請求項２１】
請求項１９記載の装置において、前記照準器は、前記制御部に連結され、火器の照準に関する情報を表示するディスプレイを含み、前記選択された動作は、前記火器の照準に関する情報を前記ディスプレイ上に表示することを防止する工程を含むものである。
【請求項２２】
請求項１９記載の装置において、前記火器用照準器は前記制御部に連結された警告表示を含み、前記選択された動作は前記警告表示の起動を含むものである。
【請求項２３】
請求項２２記載の装置において、前記照準器は火器の照準に関連する視野を有し、
前記警告表示は前記視野内に配置された視認可能な表示である。
【請求項２４】
請求項２２記載の装置において、前記照準器は、
前記制御部に連結され、前記照準器の外部から発生する放射に反応して前記検出部として機能する画像検出器と、
前記制御部に連結され、前記画像検出器によって検出された画像を含む、火器の照準に関する情報を表示するディスプレイとを含み、
前記警告表示は前記制御部によって前記ディスプレイ上に表示される情報形式の視認可能な表示である。
【請求項２５】
照準器の外部における周囲照度を検出可能な検出部を有する、火器に装着自在な前記照準器を動作させる方法であって、
前記検出部を用いて前記照準器の外部における周囲照度を決定する工程と、
前記照準器の外部における周囲照度が選択された照度より低いという決定に応答して選択された動作を行う工程と
を有する方法。
【請求項２６】
請求項２５記載の方法において、この方法は、
前記選択された照度を火器の安全な操作に必要な照度として設定する工程を含むものである。
【請求項２７】
請求項２５に記載の方法において、この方法は、
前記照準器が火器の照準に関する情報を表示するディスプレイを有するように設定する工程を含み、
前記選択された動作を行う工程は、前記火器の照準に関する情報を前記ディスプレイ上に表示することを防止する工程を含むものである。
【請求項２８】
請求項２５記載の方法において、この方法は、
前記照準器は警告表示を含み、
前記選択された動作を行う工程は、前記警告表示を起動する工程を含むものである。
【請求項２９】
請求項２８に記載の方法において、この方法は、
前記照準器は火器の照準に関連する視野を有し、
前記警告表示を前記視野内に配置された視認可能な表示として設定する工程を含むものである。
【請求項３０】
請求項２８に記載の方法において、この方法は、
前記照準器が、当該照準器の外部から発生する放射に反応して前記検出部として機能する画像検出器を有するように設定する工程と、
前記照準器が、前記画像検出器によって検出された画像を含む、火器の照準に関する情報を表示するディスプレイを有するように設定する工程と、
を有し、
前記検出部を用いる工程は、前記画像検出器からの画像情報を評価して、前記照準器の外部における周囲照度を決定する工程を含み、
前記警告表示は視認可能な表示であり、当該警告表示を起動する工程は前記ディスプレイ上に表示される情報形式の視認可能な表示として当該警告表示を提供する工程を含むものである。
【手続補正２】
【補正対象書類名】明細書
【補正対象項目名】０００５
【補正方法】変更
【補正の内容】
【０００５】
さらにもう一つの考慮すべき事柄は、事実上全ての州がハンターに対して狩猟中腰から上に蛍光性のオレンジ色の衣料を着用することを義務付ける狩猟規則を有することである。この色は、大型狩猟動物または当該動物の環境のいずれにおいても本来見出されない。このように、前記蛍光性のオレンジ色は、潜在的に標的となる動物ではなく、人がいることをハンターに知らせる視覚的合図であることを意図している。たとえこのような衣料が存在している場合でも、一片のオレンジ色はその場の他の物に部分的に紛れてしまう可能性があり、またハンターが前記衣料を着用している人からかなり離れた距離にいる場合、非常に小さいものであることが考えられる。どちらの場合においても、ハンターが不注意のうちに、または意図せずに、その場のオレンジ色の存在を見落としてしまうこともあり、その結果前記衣料を着用している人にとって潜在的に危険な状況を招きかねない。既存のライフル用照準器は、蛍光性のオレンジ色を検出して潜在的に危険な狩猟の状況を回避するための支援をハンターに提供していない。
この出願の発明に関連する先行技術文献情報としては、以下のものがある（国際出願日以降国際段階で引用された文献及び他国に国内移行した際に引用された文献を含む）。
【特許文献１】米国特許第３，５４５，３５６号明細書
【特許文献２】米国特許第３，６４５，６０２号明細書
【特許文献３】米国特許第３，７８５，２６１号明細書
【特許文献４】米国特許第３，８７１，７４１号明細書
【特許文献５】米国特許第３，８８５，８６１号明細書
【特許文献６】米国特許第３，９１１，４５１号明細書
【特許文献７】米国特許第３，９３６，８２２号明細書
【特許文献８】米国特許第３，９４４，５９７号明細書
【特許文献９】米国特許第４，２１９，２６３号明細書
【特許文献１０】米国特許第４，２９０，２１９号明細書
【特許文献１１】米国特許第４，３０９，０９５号明細書
【特許文献１２】米国特許第４，３１３，２７３号明細書
【特許文献１３】米国特許第４，４１７，８１４号明細書
【特許文献１４】米国特許第４，４５２，４５８号明細書
【特許文献１５】米国特許第４，５４１，１９１号明細書
【特許文献１６】米国特許第４，５３１，０５２号明細書
【特許文献１７】米国特許第４，５５３，９４３号明細書
【特許文献１８】米国特許第４，５６１，２０４号明細書
【特許文献１９】米国特許第４，５８４，７７６号明細書
【特許文献２０】米国特許第４，６３０，９１１号明細書
【特許文献２１】米国特許第４，６３１，５８３号明細書
【特許文献２２】米国特許第４，６４１，９３１号明細書
【特許文献２３】米国特許第４，６７１，１６５号明細書
【特許文献２４】米国特許第４，７８７，７３９号明細書
【特許文献２５】米国特許第４，８３５，６２１号明細書
【特許文献２６】米国特許第４，９０７，０２２号明細書
【特許文献２７】米国特許第４，９３６，１９０号明細書
【特許文献２８】米国特許第４，９６５，４３９号明細書
【特許文献２９】米国特許第４，９７０，５８９号明細書
【特許文献３０】米国特許第４，９８９，０２４号明細書
【特許文献３１】米国特許第５，００１，９８５号明細書
【特許文献３２】米国特許第５，０２０，２６２号明細書
【特許文献３３】米国特許第５，０２６，１５８号明細書
【特許文献３４】米国特許第５，２８５，２７３号明細書
【特許文献３５】米国特許第５，２８７，６４４号明細書
【特許文献３６】米国特許第５，３４７，７４０号明細書
【特許文献３７】米国特許第５，３６６，２２９号明細書
【特許文献３８】米国特許第５，３７５，０７２号明細書
【特許文献３９】米国特許第５，４０６，７３０号明細書
【特許文献４０】米国特許第５，４１０，８１５号明細書
【特許文献４１】米国特許第５，４２５，２９９号明細書
【特許文献４２】米国特許第５，４４２，４８３号明細書
【特許文献４３】米国特許第５，４５５，８６８号明細書
【特許文献４４】米国特許第５，４５９，６９６号明細書
【特許文献４５】米国特許第５，４８３，３６２号明細書
【特許文献４６】米国特許第５，４９１，９１９号明細書
【特許文献４７】米国特許第５，５４４，１２９号明細書
【特許文献４８】米国特許第５，５８９，９０３号明細書
【特許文献４９】米国特許第５，６４１，２８８号明細書
【特許文献５０】米国特許第５，６８６，６９０号明細書
【特許文献５１】米国特許第５，８２６，３６０号明細書
【特許文献５２】米国特許第５，９１７，７７５号明細書
【特許文献５３】米国特許第５，９７３，３１５号明細書
【特許文献５４】米国特許第５，９７３，９９８号明細書
【特許文献５５】米国特許第５，９９１，０４３号明細書
【特許文献５６】米国特許第６，０００，１６３号明細書
【特許文献５７】米国特許第６，００５，７１１号明細書
【特許文献５８】米国特許第６，１０５，０６０号明細書
【特許文献５９】米国特許第６，１７４，２８８号明細書
【特許文献６０】米国特許第６，２４７，２５９号明細書
【特許文献６１】米国特許第６，２６９，５８１号明細書
【特許文献６２】米国特許第６，３６３，２２３号明細書
【特許文献６３】米国特許第６，３７３，６２８号明細書
【特許文献６４】米国特許第６，４２５，６９７号明細書
【特許文献６５】米国特許第６，４４９，８９２号明細書
【特許文献６６】米国特許第６，４７１，５６５号明細書
【特許文献６７】米国特許第６，５１６，６９９号明細書
【特許文献６８】米国特許第６，５３９，６６１号明細書
【特許文献６９】米国特許第６，５８０，８７６号明細書
【特許文献７０】米国特許第６，６７８，３９５号明細書
【特許文献７１】米国特許第６，９６７，７７５号明細書
【特許文献７２】米国特許第６，９８８，３３１号明細書
【特許文献７３】米国特許第７，０８９，８４５号明細書
【特許文献７４】米国特許第７，１２１，０３６号明細書
【特許文献７５】米国特許第７，１２４，５３１号明細書
【特許文献７６】米国特許第７，２１０，２６２号明細書
【特許文献７７】米国特許第７，２５５，０３５号明細書
【特許文献７８】米国特許第７，２９２，２６２号明細書
【特許文献７９】米国特許出願公開第２００２／０１２３０２５号明細書
【特許文献８０】米国特許出願公開第２００２／０１９１２８２号明細書
【特許文献８１】米国特許出願公開第２００２／０１９７５８４号明細書
【特許文献８２】米国特許出願公開第２００４／００２００９９号明細書
【特許文献８３】米国特許出願公開第２００４／００２５３９６号明細書
【特許文献８４】米国特許出願公開第２００４／００４７５８６号明細書
【特許文献８５】米国特許出願公開第２００４／０２３１２２０号明細書
【特許文献８６】米国特許出願公開第２００４／００７４１３２号明細書
【特許文献８７】米国特許出願公開第２００５／００１８０４１号明細書
【特許文献８８】米国特許出願公開第２００５／０２６８５２１号明細書
【特許文献８９】米国特許出願公開第２００６／０００５４４７号明細書
【特許文献９０】米国特許出願公開第２００６／００１０７６０号明細書
【特許文献９１】米国特許出願公開第２００６／００４８４３２号明細書
【特許文献９２】米国特許出願公開第２００６／０１３７２３５号明細書
【特許文献９３】米国特許出願公開第２００６／０２２５３３５号明細書
【特許文献９４】米国特許出願公開第２００６／０２４８７７７号明細書
【特許文献９５】独国特許発明第１０１３６２７８号明細書
【特許文献９６】欧州特許第０１６２４９３号明細書
【特許文献９７】欧州特許第０２７６０９９号明細書
【特許文献９８】欧州特許第０５３５４１０号明細書
【特許文献９９】欧州特許第０９８５８９９号明細書
【特許文献１００】欧州特許第１３０４５３９号明細書
【特許文献１０１】仏国特許発明第２０４４４６５号明細書
【特許文献１０２】仏国特許発明第２１８１５００号明細書
【特許文献１０３】台湾特許第４２１６０５号明細書
【特許文献１０４】台湾特許第４３１０９１号明細書
【特許文献１０５】台湾特許第５８５２５４号明細書
【特許文献１０６】国際公開第０２／４６８２２号パンフレット
【特許文献１０７】国際公開第８５／０３１１８号パンフレット
【特許文献１０８】国際公開第９６／４１９９８号パンフレット